(57)【要約】【課題】電源オンされてから、光源を点灯するまでの時間を短縮するプロジェクターを提供する。【解決手段】プロジェクター１は、光源（光源装置３０，７１０）から射出された光を変調して投写するプロジェクターであって、プロジェクター１の統括制御を行う第１のプロセッサー（全体制御プロセッサー２０）と、光源の制御を行う第２のプロセッサー（映像出力系プロセッサー２５）と、第２のプロセッサーが光源の制御を行うためのパラメーターを記憶する記憶部２２と、を備え、第２のプロセッサーは、起動時に、記憶部２２に記憶されたパラメーターに基づいて光源の制御を開始し、第１のプロセッサーは、パラメーターが変更された場合、該変更されたパラメーターを記憶部２２に記憶する。【選択図】図３
2015158659.tif 000002
【特許請求の範囲】
【請求項１】
光源から射出された光を変調して投写するプロジェクターであって、
前記プロジェクターの統括制御を行う第１のプロセッサーと、
前記光源の制御を行う第２のプロセッサーと、
前記第２のプロセッサーが前記光源の制御を行うためのパラメーターを記憶する記憶部と、を備え、
前記第２のプロセッサーは、起動時に、前記記憶部に記憶された前記パラメーターに基づいて前記光源の制御を開始し、
前記第１のプロセッサーは、前記パラメーターが変更された場合、該変更されたパラメーターを前記記憶部に記憶することを特徴とするプロジェクター。
【請求項２】
請求項１に記載のプロジェクターであって、
前記第２のプロセッサーは、前記第１のプロセッサーからの起動指示により、起動することを特徴とするプロジェクター。
【請求項３】
請求項２に記載のプロジェクターであって、
前記第２のプロセッサーは、前記第１のプロセッサーからの起動指示により起動した後、前記第１のプロセッサーからの指示なしに前記光源の制御を開始することを特徴とするプロジェクター。
【請求項４】
請求項１乃至３のいずれか一項に記載のプロジェクターであって、
前記プロジェクターの設定を行うためのメニュー画像を表示するメニュー表示部と、
前記メニュー画像における操作を受け付ける操作受付部と、をさらに備え、
前記操作受付部が前記メニュー画像における操作を受け付けて、前記パラメーターが変更された場合に、前記第１のプロセッサーは、該変更されたパラメーターを前記記憶部に記憶することを特徴とするプロジェクター。
【請求項５】
請求項１乃至４のいずれか一項に記載のプロジェクターであって、
前記第１のプロセッサーは、
前記プロジェクターの電源オフの操作がなされた場合に、前記第２のプロセッサーに係わる所定のパラメーターを前記記憶部に記憶することを特徴とするプロジェクター。
【請求項６】
請求項１乃至５のいずれか一項に記載のプロジェクターであって、
前記第２のプロセッサーは、前記光源の点灯準備の完了後に、前記第１のプロセッサーに通知を行い、
前記第１のプロセッサーは、当該通知を受け取ると、所定の判断処理を行い、当該所定の判断処理の判断結果が正常である場合に、前記第２のプロセッサーに前記光源の点灯指示を行うことを特徴とするプロジェクター。
【請求項７】
請求項６に記載のプロジェクターであって、
前記第１のプロセッサーが行う前記所定の判断処理は、前記プロジェクターの冷却機構が正常に動作しているか否かの判断処理であることであることを特徴とするプロジェクター。
【請求項８】
請求項６に記載のプロジェクターであって、
前記第１のプロセッサーが行う前記所定の判断処理は、前記光源の照度を測定するためのセンサーが正常に接続されているか否かの判断処理であることであることを特徴とするプロジェクター。
【請求項９】
プロジェクターの統括制御を行う第１のプロセッサーと、光源の制御を行う第２のプロセッサーと、前記第２のプロセッサーが前記光源の制御を行うためのパラメーターを記憶する記憶部と、を有し、前記光源から射出された光を変調して投写するプロジェクターの制御方法であって、
起動時に、前記第２のプロセッサーが、前記記憶部に記憶された前記パラメーターに基づいて前記光源の制御を開始する光源制御ステップと、
前記パラメーターが変更された場合、前記第１のプロセッサーが、該変更されたパラメーターを前記記憶部に記憶する記憶ステップと、を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクター全体を統括制御するプロセッサーと、映像出力系（光源ランプ点灯制御を含む）の処理を行うプロセッサーの２つのプロセッサーを備えたプロジェクターがあった。このようなプロジェクターにおいて、映像出力系プロセッサーは、処理に必要なパラメーターを全体制御プロセッサーから受け取っていた。このため、全体制御プロセッサーが起動して、映像出力系プロセッサーにパラメーターを送信するまでは、映像出力系プロセッサーは、処理を開始することができなかった。従って、プロジェクターの電源がオンされてから、光源ランプが点灯するまでに時間が掛かり、視聴者は、映像の視聴を待たされていた。
【０００３】
特許文献１には、「速度優先モード」と「画質優先モード」とを備える画像伝送システムが開示されている。この「速度優先モード」は、描画途中からでも表示をする方法であり、また、「画質優先モード」は、描画が完成してから表示をする方法である。このように特許文献１に記載の技術は、光源ランプが点灯した後の表示方法を変更する技術であり、光源ランプの点灯や映像出力までの時間を短くするものではなかった。
【先行技術文献】
【特許文献】
【０００４】
【特許文献１】特開２００６−２４３３２４号公報
【発明の概要】
【発明が解決しようとする課題】
【０００５】
近年、プロジェクターの光源として、レーザーやＬＥＤ（Light Emitting Diode）等の固体光源が搭載されるようになっている。従来の放電型光源ランプは点灯開始から最大輝度に到達するまでの時間が長いが、固体光源は点灯開始から最大輝度に到達するまでの時間が短いことが特徴である。従って、特に固体光源が搭載されたプロジェクターの場合には、固体光源を使用するメリットを生かすために、プロジェクターの電源がオンされてから、光源を点灯して映像出力するまでの時間を短縮することが望まれていた。
【課題を解決するための手段】
【０００６】
本発明は、上述の課題の少なくとも一部を解決するためになされたものであり、以下の形態または適用例として実現することが可能である。
【０００７】
［適用例１］
本適用例にかかるプロジェクターは、光源から射出された光を変調して投写するプロジェクターであって、前記プロジェクターの統括制御を行う第１のプロセッサーと、前記光源の制御を行う第２のプロセッサーと、前記第２のプロセッサーが前記光源の制御を行うためのパラメーターを記憶する記憶部と、を備え、前記第２のプロセッサーは、起動時に、前記記憶部に記憶された前記パラメーターに基づいて前記光源の制御を開始し、前記第１のプロセッサーは、前記パラメーターが変更された場合、該変更されたパラメーターを前記記憶部に記憶することを特徴とする。
【０００８】
このようなプロジェクターによれば、第１のプロセッサーは、プロジェクターの統括制御を行う。第２のプロセッサーは、光源の制御を行う。記憶部は、第２のプロセッサーが光源の制御を行うためのパラメーターを記憶する。第２のプロセッサーは、起動時に、記憶部に記憶されたパラメーターを読み出し、当該パラメーターに基づいて光源の制御を開始する。第１のプロセッサーは、パラメーターが変更された場合、該変更されたパラメーターを記憶部に記憶する。これにより、第２のプロセッサーは、起動時に、記憶部に記憶されたパラメーターを読み込んで光源の制御を開始するため、第１のプロセッサーからパラメーターを受信する必要がなく、光源の点灯までの時間を短縮することができる。
【０００９】
［適用例２］
上記適用例にかかるプロジェクターにおいて、前記第２のプロセッサーは、前記第１のプロセッサーからの起動指示により、起動することが好ましい。
［適用例３］
上記適用例にかかるプロジェクターにおいて、前記第２のプロセッサーは、前記第１のプロセッサーからの起動指示により起動した後、前記第１のプロセッサーからの指示なしに前記光源の制御を開始することが好ましい。
【００１０】
このようなプロジェクターによれば、第２のプロセッサーは、第１のプロセッサーからの起動指示によって起動し、前記第１のプロセッサーからの指示なしに前記光源の制御を開始するので光源の点灯までの時間を短縮することができる。また、第２のプロセッサーが制御する光源は、プロジェクターの統括制御下にて制御されることになるので、意図しないタイミングやパラメーターでの点灯を回避することができる。また、第２のプロセッサーは、起動指示が来るまで、リセット状態とすることができるため、消費電力を低減することが可能である。
【００１１】
［適用例４］
上記適用例にかかるプロジェクターにおいて、前記プロジェクターの設定を行うためのメニュー画像を表示するメニュー表示部と、前記メニュー画像における操作を受け付ける操作受付部と、をさらに備え、前記操作受付部が前記メニュー画像における操作を受け付けて、前記パラメーターが変更された場合に、前記第１のプロセッサーは、該変更されたパラメーターを前記記憶部に記憶することが好ましい。
【００１２】
このようなプロジェクターによれば、メニュー表示部はメニュー画像を表示する。操作受付部は、メニュー画像における操作を受け付ける。メニュー画像によってパラメーターが変更された場合に、第１のプロセッサーは、変更されたパラメーターを記憶部に記憶する。これにより、メニュー画像によって、第２のプロセッサーに係わるパラメーターが変更された場合にも、第２のプロセッサーは、起動時に、記憶部から変更されたパラメーターを読み込んで光源の制御を開始することができる。
【００１３】
［適用例５］
上記適用例にかかるプロジェクターにおいて、前記第１のプロセッサーは、前記プロジェクターの電源オフの操作がなされた場合に、前記第２のプロセッサーに係わる所定のパラメーターを前記記憶部に記憶することが好ましい。
【００１４】
このようなプロジェクターによれば、電源オフの操作がなされた場合に、所定のパラメーターを記憶部に記憶する。ここで、所定のパラメーターは、第２のプロセッサーに係わるパラメーターである。よって、第２のプロセッサーは、起動時に、記憶部から所定のパラメーターを読み込んで光源の制御を開始することができる。
【００１５】
［適用例６］
上記適用例にかかるプロジェクターにおいて、前記第２のプロセッサーは、前記光源の点灯準備の完了後に、前記第１のプロセッサーに通知を行い、前記第１のプロセッサーは、当該通知を受け取ると、所定の判断処理を行い、当該所定の判断処理の判断結果が正常である場合に、前記第２のプロセッサーに前記光源の点灯指示を行うことが好ましい。
【００１６】
このようなプロジェクターによれば、第２のプロセッサーは、光源の点灯準備が完了した後に、第１のプロセッサーに通知を行い、第１のプロセッサーは、通知を受け取ると、所定の判断処理を行い、判断結果が正常である場合に、第２のプロセッサーに光源の点灯指示を行う。これにより、判断結果が正常である場合に、第２のプロセッサーは光源を点灯する。よって、プロジェクターに異常がある場合は、光源の点灯を回避することができる。
【００１７】
［適用例７］
上記適用例にかかるプロジェクターにおいて、前記第１のプロセッサーが行う前記所定の判断処理は、前記プロジェクターの冷却機構が正常に動作しているか否かの判断処理であることであることが好ましい。
【００１８】
このようなプロジェクターによれば、所定の判断処理は、プロジェクターの冷却機構が正常に動作しているか否かの判断処理である。これにより、冷却機構が正常でない場合は、光源の点灯を回避することができる。
【００１９】
［適用例８］
上記適用例にかかるプロジェクターにおいて、前記第１のプロセッサーが行う前記所定の判断処理は、前記光源の照度を測定するためのセンサーが正常に接続されているか否かの判断処理であることが好ましい。
【００２０】
このようなプロジェクターによれば、所定の判断処理は、光源の照度を測定するためのセンサーが正常に動作しているか否かの判断処理である。これにより、センサーが正常でない場合は、光源の点灯を回避することができる。
【００２１】
［適用例９］
本適用例にかかるプロジェクターの制御方法は、プロジェクターの統括制御を行う第１のプロセッサーと、光源の制御を行う第２のプロセッサーと、前記第２のプロセッサーが前記光源の制御を行うためのパラメーターを記憶する記憶部と、を有し、前記光源から射出された光を変調して投写するプロジェクターの制御方法であって、起動時に、前記第２のプロセッサーが、前記記憶部に記憶された前記パラメーターに基づいて前記光源の制御を開始する光源制御ステップと、前記パラメーターが変更された場合、前記第１のプロセッサーが、該変更されたパラメーターを前記記憶部に記憶する記憶ステップと、を備えることを特徴とする。
【００２２】
このようなプロジェクターの制御方法によれば、第２のプロセッサーは、起動時に、記憶部に記憶されたパラメーターを読み込んで光源の制御を開始するため、第１のプロセッサーからパラメーターを受信する必要がなく、光源の点灯までの時間を短縮することができる。
【００２３】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２４】
【図１】実施形態に係るプロジェクターの光学系を示す上面図。
【図２】実施形態に係る回転蛍光板を説明するために示す図であり、（ａ）は回転蛍光板の正面図であり、（ｂ）は（ａ）のＡ１−Ａ１断面図。
【図３】プロジェクターの概略構成を示すブロック図。
【図４】プロジェクターの起動処理のフローチャート。
【発明を実施するための形態】
【００２５】
（実施形態）  以下、実施形態として、固体光源としてレーザー光源を有するプロジェクターについて説明する。
【００２６】
図１は、実施形態に係るプロジェクター１の光学系を示す上面図である。なお、図１においては、説明を容易にするために、回転蛍光板５２の構成要素の厚みを誇張して図示している。
図２は、実施形態に係る回転蛍光板５２を説明するために示す図であり、（ａ）は回転蛍光板５２の正面図であり、（ｂ）は（ａ）のＡ１−Ａ１断面図である。
【００２７】
第１照明装置１０２は、第１光源装置３０、集光光学系４０、回転蛍光板５２、モーター５０、コリメート光学系６０、第１レンズアレイ１２０、第２レンズアレイ１３０、偏光変換素子１４０および重畳レンズ１５０を備える。
【００２８】
第１光源装置３０は、励起光としてレーザー光からなる青色光（発光強度のピーク：約４４５ｎｍ）を射出するレーザー光源（固体光源）からなる。なお、光源装置は、１つのレーザー光源からなるものであってもよいし、多数のレーザー光源からなるものであってもよい。また、４４５ｎｍ以外の波長（例えば、４６０ｎｍ）の青色光を射出する光源装置を用いることもできる。
【００２９】
集光光学系４０は、第１レンズ４２および第２レンズ４４を備える。集光光学系４０は、第１光源装置３０から回転蛍光板５２までの光路中に配置され、全体として青色光を略集光した状態で蛍光層５６（後述）に入射させる。第１レンズ４２および第２レンズ４４は、凸レンズからなる。
【００３０】
回転蛍光板５２はいわゆる透過型の回転蛍光板であり、図１および図２に示すように、モーター５０により回転可能な円板５５の一部に、蛍光層５６が円板５５の周方向に沿って連続して形成されてなる。蛍光層５６が形成されている領域は、青色光が入射する領域を含む。回転蛍光板５２は、青色光が入射する側とは反対の側に向けて赤色光および緑色光を射出するように構成されている。
【００３１】
第１光源装置３０からの青色光は、円板５５側から回転蛍光板５２に入射するように構成されている。
蛍光層５６は、第１光源装置３０からの青色光を赤色光および緑色光を含む光に変換する。具体的には、蛍光層５６は、波長が約４４５ｎｍの青色光によって効率的に励起され、第１光源装置３０が射出する青色光を、赤色光および緑色光を含む黄色光（蛍光）に変換して射出する。
【００３２】
コリメート光学系６０は、図１に示すように、回転蛍光板５２からの光の拡がりを抑える第１レンズ６２と、第１レンズ６２からの光を略平行化する第２レンズ６４とを備え、全体として、回転蛍光板５２からの光を略平行化する機能を有する。第１レンズ６２および第２レンズ６４は、凸レンズからなる。
【００３３】
第１レンズアレイ１２０は、コリメート光学系６０からの光を複数の部分光束に分割するための複数の第１小レンズ１２２を有する。第１レンズアレイ１２０は、コリメート光学系６０からの光を複数の部分光束に分割する光束分割光学素子としての機能を有し、複数の第１小レンズ１２２が照明光軸１０２ａｘと直交する面内に複数行・複数列のマトリクス状に配列された構成を有する。図示による説明は省略するが、第１小レンズ１２２の外形形状は、液晶光変調装置４００Ｒ，４００Ｇ，４００Ｂの画像形成領域の外形形状に関して略相似形である。
【００３４】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる機能を有する。第２レンズアレイ１３０は、複数の第２小レンズ１３２が照明光軸１０２ａｘに直交する面内に複数行・複数列のマトリクス状に配列された構成を有する。
【００３５】
偏光変換素子１４０は、第１レンズアレイ１２０により分割された各部分光束の偏光方向を、偏光方向の揃った略１種類の直線偏光光として射出する偏光変換素子である。
偏光変換素子１４０は、回転蛍光板５２からの光に含まれる偏光成分のうち一方の直線偏光成分をそのまま透過し、他方の直線偏光成分を照明光軸１０２ａｘに垂直な方向に反射する偏光分離層と、偏光分離層で反射された他方の直線偏光成分を照明光軸１０２ａｘに平行な方向に反射する反射層と、反射層で反射された他方の直線偏光成分を一方の直線偏光成分に変換する位相差板とを有している。
【００３６】
重畳レンズ１５０は、偏光変換素子１４０からの各部分光束を集光して液晶光変調装置４００Ｒ，４００Ｇ，４００Ｂの画像形成領域近傍に重畳させるための光学素子である。重畳レンズ１５０の光軸と第１照明装置１０２の光軸とが略一致するように、重畳レンズ１５０が配置されている。なお、重畳レンズ１５０は、複数のレンズを組み合わせた複合レンズで構成されていてもよい。第１レンズアレイ１２０、第２レンズアレイ１３０および重畳レンズ１５０は、回転蛍光板５２からの光の面内光強度分布を均一にするインテグレーター光学系を構成する。
【００３７】
第２照明装置７００は、第２光源装置７１０、集光光学系７２０、散乱板７３０、偏光変換インテグレーターロッド７４０および集光レンズ７５０を備える。
【００３８】
第２光源装置７１０は、色光としてレーザー光からなる青色光（発光強度のピーク：約４４５ｎｍ）を射出するレーザー光源である。
【００３９】
集光光学系７２０は、図１に示すように、第１レンズ７２２および第２レンズ７２４を備える。集光光学系７２０は、全体として、青色光を略集光した状態で散乱板７３０に入射させる。第１レンズ７２２および第２レンズ７２４は、凸レンズからなる。
【００４０】
散乱板７３０は、第２光源装置７１０からの青色光を所定の散乱度で散乱し、蛍光（回転蛍光板５２から射出される赤色光および緑色光）に似た配光分布を有する青色光とする。散乱板７３０としては、例えば、光学ガラスからなる磨りガラスを用いることができる。
偏光変換インテグレーターロッド７４０は、第２光源装置７１０からの青色光の面内光強度分布を均一にし、かつ、当該青色光の偏光方向を、偏光方向の揃った略１種類の直線偏光光とする。偏光変換インテグレーターロッド７４０は、詳しい説明は省略するが、インテグレーターロッドと、当該インテグレーターロッドの入射面側に配置され、青色光が入射する小孔を有する反射板と、射出面側に配置される反射型偏光板とを有する。
【００４１】
集光レンズ７５０は、偏光変換インテグレーターロッド７４０からの光を集光して液晶光変調装置４００Ｂの画像形成領域近傍に入射させる。
【００４２】
色分離導光光学系２０２は、ダイクロイックミラー２１０、反射ミラー２２２，２３０，２５０を備える。色分離導光光学系２０２は、第１照明装置１０２からの光を赤色光および緑色光に分離し、第１照明装置１０２からの赤色光および緑色光並びに第２照明装置７００からの青色光のそれぞれの色光を照明対象となる液晶光変調装置４００Ｒ，４００Ｇ，４００Ｂに導光する機能を有する。
【００４３】
ダイクロイックミラー２１０を通過した赤色光は、反射ミラー２３０で反射され、集光レンズ３００Ｒを通過して赤色光用の液晶光変調装置４００Ｒの画像形成領域に入射する。ダイクロイックミラー２１０で反射された緑色光は、反射ミラー２２２でさらに反射され、集光レンズ３００Ｇを通過して緑色光用の液晶光変調装置４００Ｇの画像形成領域に入射する。
第２照明装置７００からの青色光は、反射ミラー２５０で反射され、集光レンズ３００Ｂを通過して青色光用の液晶光変調装置４００Ｂの画像形成領域に入射する。
【００４４】
液晶光変調装置４００Ｒ，４００Ｇ，４００Ｂは、入射された色光を画像情報に応じて変調してカラー画像を形成するものであり、照明装置１０２，７００の照明対象となる。なお、図示を省略したが、各集光レンズ３００Ｒ，３００Ｇ，３００Ｂと各液晶光変調装置４００Ｒ，４００Ｇ，４００Ｂとの間には、それぞれ入射側偏光板が介在配置され、各液晶光変調装置４００Ｒ，４００Ｇ，４００Ｂとクロスダイクロイックプリズム５００との間には、それぞれ射出側偏光板が介在配置される。これら入射側偏光板、液晶光変調装置４００Ｒ，４００Ｇ，４００Ｂおよび射出側偏光板によって、入射された各色光の光変調が行われる。
【００４５】
液晶光変調装置４００Ｒ，４００Ｇ，４００Ｂは、一対の透明なガラス基板の間に電気光学物質である液晶を密閉封入した透過型の液晶光変調装置であり、例えば、ポリシリコンＴＦＴをスイッチング素子として、与えられた画像信号に応じて、入射側偏光板から射出された１種類の直線偏光の偏光方向を変調する。
【００４６】
クロスダイクロイックプリズム５００は、射出側偏光板から射出された色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光および青色光は曲折され、緑色光の進行方向と揃えられることにより、３つの色光が合成される。
【００４７】
クロスダイクロイックプリズム５００から射出されたカラー画像は、投写光学系６００によって拡大投写され、スクリーンＳＣＲ上で画像を形成する。
【００４８】
図３は、プロジェクター１の概略構成を示すブロック図である。
図３に示すように、プロジェクター１は、画像投写部１０、第１のプロセッサーとしての全体制御プロセッサー２０、操作受付部２１、記憶部２２、フレームメモリー２３、映像信号入力部２４、第２のプロセッサーとしての映像出力系プロセッサー２５、フレームメモリー２６等を備えている。
【００４９】
画像投写部１０は、光源としての光源装置３０，７１０、光変調装置としての３つの液晶光変調装置４００Ｒ，４００Ｇ，４００Ｂ、投写光学系６００、液晶駆動部１４等で構成されている。画像投写部１０は、光源装置３０，７１０から射出された光を、液晶光変調装置４００Ｒ，４００Ｇ，４００Ｂで画像光に変調し、この画像光を投写光学系６００から投写してスクリーンＳＣＲに画像を表示する。
【００５０】
第１光源装置３０から射出されたレーザー光からなる青色光は、回転蛍光板５２によって、青色光が入射する側とは反対の側に向けて赤色光（Ｒ）および緑色光（Ｇ）を射出する。第２光源装置７１０は、レーザー光からなる青色光（Ｂ）を射出する。これらの光は、それぞれインテグレーター光学系やインテグレーターロッド等によって輝度分布が略均一な光に変換される。そして、ダイクロイックミラー２１０や反射ミラー２２２，２３０，２５０によって、それぞれ液晶光変調装置４００Ｒ，４００Ｇ，４００Ｂに入射する。
【００５１】
液晶光変調装置４００Ｒ，４００Ｇ，４００Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置３０，７１０から射出された光は、この液晶光変調装置４００Ｒ，４００Ｇ，４００Ｂの画素領域を透過することによって変調され、画像情報に応じた画像光が色光毎に形成される。形成された各色の画像光は、色合成光学系（クロスダイクロイックプリズム５００）によって画素毎に合成されてカラーの画像光となった後、投写光学系６００によって拡大投写される。
【００５２】
全体制御プロセッサー２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。また、全体制御プロセッサー２０は、映像信号入力部２４から入力される映像信号を、液晶光変調装置４００Ｒ，４００Ｇ，４００Ｂの各画素の階調を表す画像情報、即ち各画素に印加する駆動電圧を規定するための画像情報に変換して、フレームメモリー２３に展開する。そして、全体制御プロセッサー２０は、変換した画像情報に対して、明るさ、コントラスト、シャープネス、色合い等の画質を調整するための画質調整処理等を行う。画像調整処理等が行われた画像情報は、映像出力系プロセッサー２５に出力される。
【００５３】
また、全体制御プロセッサー２０は、冷却機構であるファンの制御や、レンズの絞り用モーターの制御、レンズシャッター用モーターの制御等を行う。さらに、ファンが正しく動作しているか否かの検出や、レンズの絞り用モーターが正しく回転するか否かの検出、レンズシャッター用モーターが正しく動作しているか否かの検出、光源装置３０，７１０の照度を測定するセンサーが正しく接続されているか否かの検出等も行う。
【００５４】
さらに、全体制御プロセッサー２０は、メニュー画像やメッセージ画像等のＯＳＤ（オンスクリーンディスプレイ）画像を画像情報に重畳する処理を行う。メニュー画像を表示する際の全体制御プロセッサー２０が、メニュー表示部に相当する。
【００５５】
操作受付部２１は、ユーザーのキー操作を受け付ける操作パネル等であり、ユーザーがプロジェクター１に対して各種指示を行うための複数の操作キーを備えている。本実施形態の操作受付部２１が備える操作キーとしては、電源のオン・オフを切り換えるための電源キー、入力された画像情報を切り換えるための入力切換キー、各種設定用のメニュー画像を表示させるメニューキー、メニュー画像における項目の選択等に用いられる方向キー、選択した項目を確定させるための決定キー等がある。
【００５６】
ユーザーが操作受付部２１の各種操作キーを操作すると、操作受付部２１は、この操作を受け付けて、操作された操作キーに対応する制御信号を全体制御プロセッサー２０に出力する。そして、全体制御プロセッサー２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して全体制御プロセッサー２０に伝達する。
【００５７】
記憶部２２は、不揮発性メモリーを有して構成される。記憶部２２には、メニュー画像によって設定された各種設定値や、映像出力および光源装置３０，７１０の制御を行うためのパラメーターが記憶される。記憶部２２は、全体制御プロセッサー２０および映像出力系プロセッサー２５のいずれからも書き込み・読み出し可能に構成されているが、メニュー画像によって設定された各種設定値やパラメーターは、全体制御プロセッサー２０によって、記憶部２２に記憶される。
【００５８】
記憶部２２に記憶されるパラメーターとしては、プロジェクター１起動時の初期画像表示（「ロゴ画像表示」ともいう）のオン・オフ設定情報、プロジェクター１の設置状態情報（背面投写、上下反転、左右反転等）、台形歪補正値情報、レーザー光源点灯本数情報、駆動対象光源種別、光源装置点灯時の電流値情報、光源装置３０および７１０の出力バランスを調整するための光源バランス調整値、画質調整値、画素ずれ補正値情報、色むら補正値情報等がある。ここで、画素ずれ補正値情報は、液晶光変調装置４００Ｒ，４００Ｇ，４００Ｂの組立時において生じるアライメント誤差を補正するための情報であり、色むら補正値情報は、液晶光変調装置４００Ｒ，４００Ｇ，４００Ｂの個体差により生じる投写領域の色むらを補正するための情報である。
尚、これらのパラメーターの中で、起動時の初期画像表示のオン・オフ設定情報、設置状態情報、台形歪補正値情報、レーザー光源点灯本数情報、駆動対象光源種別、光源装置点灯時の電流値情報、光源バランス調整値、画素ずれ補正値情報、色むら補正値情報等は、映像出力系プロセッサー２５が電源オン時に使用するパラメーターである。また、記憶部２２は、プロジェクター１起動時の初期画像の画像情報（画像データ）を記憶する。
【００５９】
記憶部２２は、プロジェクター１の電源がオフされる際にも、所定のパラメーターとして、上記パラメーターの一部を記憶する。具体的には、赤色光および緑色光を発生させる第１光源装置３０の出力と、青色光を出力する第２光源装置７１０の出力との光源バランス調整値が記憶される。光源バランス調整値は、プロジェクター１の電源のオフ操作がなされた際に、全体制御プロセッサー２０が出力のバランスを検出し、調整値を算出して記憶部２２に記憶する。なお、プロジェクター１の電源がオフされる際に記憶部２２に記憶する所定のパラメーターは、光源バランス調整値に限定するものではない。他のパラメーターも記憶してもよい。
【００６０】
フレームメモリー２３は、１画面毎の画像情報を格納するメモリーである。全体制御プロセッサー２０は、入力された画像情報をフレームメモリー２３に展開し、画質調整処理等を行う。
【００６１】
映像信号入力部２４は、複数の入力端子を備えており、これらの入力端子には、ビデオ再生装置やパーソナルコンピューター等、図示しない外部の画像供給装置から各種形式の画像信号が入力される。映像信号入力部２４は、入力された画像信号をデジタルの画像情報に変換し、その画像情報を全体制御プロセッサー２０に出力する。
【００６２】
映像出力系プロセッサー２５は、ＣＰＵや、各種データ等の一時記憶に用いられるＲＡＭ、不揮発性のＲＯＭ等を備えており、ＲＯＭに記憶されているプログラムに従ってＣＰＵが動作することにより映像出力および光源装置３０，７１０を制御する。映像出力系プロセッサー２５は、全体制御プロセッサー２０から入力される画像情報を、フレームメモリー２６に展開する。そして、映像出力系プロセッサー２５は、画像情報に対して、スケーリング処理や台形歪補正処理、色補正処理等を行う。さらに、映像出力系プロセッサー２５は、光源装置３０，７１０の制御、液晶光変調装置４００Ｒ，４００Ｇ，４００Ｂの制御等を行う。
【００６３】
液晶駆動部１４が、映像出力系プロセッサー２５から入力される画像情報に従って液晶光変調装置４００Ｒ，４００Ｇ，４００Ｂを駆動すると、光源装置３０，７１０から射出された光は、液晶光変調装置４００Ｒ，４００Ｇ，４００Ｂによって画像情報に応じた画像光に変調され、この画像光が投写光学系６００から投写される。
【００６４】
次に、プロジェクター１が電源オンされた際に行う起動処理について説明する。
図４は、本実施形態に係るプロジェクター１の起動処理のフローチャートである。
【００６５】
電源オフの状態において、操作受付部２１に備わる電源キーが押下されて電源オン操作がなされると、全体制御プロセッサー２０が起動し、映像出力系プロセッサー２５のリセットを解除する（ステップＳ１０１）。映像出力系プロセッサー２５は、リセットが解除されると起動し、記憶部２２に記憶されたパラメーターに基づいて映像出力設定を行う（ステップＳ２０１）。具体的には、初期画像表示がオンであれば、初期画像データ（ロゴ画像データ）をフレームメモリー２６に書き込む。そして、記憶部２２に記憶されている設置状態情報、台形歪み補正情報、画素ずれ補正値情報、色むら補正値情報等に基づいて、初期画像データの変換を行う。
【００６６】
次に、映像出力系プロセッサー２５は、光源装置３０，７１０の点灯準備を行う（ステップＳ２０２）。具体的には、記憶部２２に記憶されている、駆動対象光源種別、レーザー光源点灯本数情報、光源点灯時の電流値、および光源バランス調整値に基づいて、光源装置３０，７１０の点灯準備を行う。点灯準備が完了したら、映像出力系プロセッサー２５は、全体制御プロセッサー２０に、点灯準備完了であることを通知する（ステップＳ２０３）。
【００６７】
全体制御プロセッサー２０は、点灯準備完了の通知を受信すると、所定の判断を行い、プロジェクター１が正常か異常かを判断する（ステップＳ１０２）。ここで、所定の判断においては、ファンが正しく動作しているか否か、レンズの絞り用モーターが正しく動作しており、レンズ絞りが全開になっているか否か、レンズシャッター用モーターが正しく動作しており、レンズシャッターが全開になっているか否か、光源装置３０，７１０の照度を測定するセンサーが正しく接続されているか否かを検出し、全て正常か否かを判断する。
【００６８】
所定の判断の結果に１つでも異常がある場合（ステップＳ１０２：異常）、全体制御プロセッサー２０は、光源装置３０，７１０の点灯指示は行わずに、起動処理を終了する。所定の判断の結果が全て正常である場合（ステップＳ１０２：正常）、全体制御プロセッサー２０は、映像出力系プロセッサー２５に、光源装置の点灯を指示する（ステップＳ１０３）。
【００６９】
映像出力系プロセッサー２５は、光源装置の点灯の指示を受信すると、光源装置３０，７１０を点灯して初期画像の投写を開始する（ステップＳ２０４）。そして、映像出力系プロセッサー２５は、光源点灯状態に遷移する（ステップＳ２０５）。ここで、光源点灯状態とは、光源装置３０，７１０を点灯している状態である。そして、映像出力系プロセッサー２５は、起動処理を終了する。
【００７０】
全体制御プロセッサー２０は、光源装置の点灯を指示した後、ＯＳ（Operating System）を起動する（ステップＳ１０４）。全体制御プロセッサー２０は、各種ドライバーの初期化を行う（ステップＳ１０５）。全体制御プロセッサー２０は、周辺回路の電源の制御を行う（ステップＳ１０６）。そして、全体制御プロセッサー２０は、通常投写状態に遷移する（ステップＳ１０７）。ここで、通常投写状態とは、画像信号に基づいた画像を投写する状態である。そして、全体制御プロセッサー２０は、起動処理を終了する。
【００７１】
上述した実施形態によれば、以下の効果が得られる。
（１）プロジェクター１の全体制御プロセッサー２０は、プロジェクター１全体の制御を行う。映像出力系プロセッサー２５は、映像出力および光源装置３０，７１０の制御を行う。記憶部２２は、映像出力系プロセッサー２５が映像出力および光源装置３０，７１０の制御を行うためのパラメーターを記憶する。映像出力系プロセッサー２５は、記憶部２２に記憶されたパラメーターに基づいて映像出力および光源装置３０，７１０の制御を行う。これにより、映像出力系プロセッサー２５は、リセットが解除されて起動すると、記憶部２２に記憶されたパラメーターを読み込んで、映像出力および光源装置３０，７１０の制御を開始するため、全体制御プロセッサー２０からパラメーターの情報を受信する必要がない。よって、全体制御プロセッサー２０が起動処理を行っている途中でも、映像出力系プロセッサー２５は起動して、映像出力設定および光源装置３０，７１０の点灯準備を行うことが可能となる。
そして、映像出力系プロセッサー２５は、点灯準備完了の通知を全体制御プロセッサー２０に送信する。映像出力系プロセッサー２５は、全体制御プロセッサー２０から光源の点灯指示を受信したら、直ちに光源装置３０，７１０を点灯して、初期画像を投写することができる。よって、映像出力系プロセッサー２５は、全体制御プロセッサー２０が起動途中（ＯＳの起動や各種ドライバーの初期化、周辺回路の制御中）でも、光源装置３０，７１０を点灯することが可能になるため、プロジェクター１が電源オン操作をなされてから、光源の点灯までの時間を短縮することができる。よって、視聴者は、プロジェクター１を電源オンしてから早いタイミングで映像を視聴することができる。特に、点灯開始から最大輝度に到達するまでの時間が短いレーザー光源等の固体光源を有するプロジェクターの場合に有益である。
【００７２】
（２）このようなプロジェクター１によれば、全体制御プロセッサー２０は、パラメーターが変更された場合、該変更されたパラメーターを記憶部２２に記憶する。これにより、映像出力系プロセッサー２５は、変更されたパラメーターを参照することが可能である。よって、全体制御プロセッサー２０は、映像出力系プロセッサー２５に、パラメーター変更を伝えるための通信を行わなくてもよいため、プログラムの処理の簡易化および高速化を図ることができる。
【００７３】
（３）このようなプロジェクター１によれば、映像出力系プロセッサー２５は、全体制御プロセッサー２０からの起動指示、即ちリセット解除によって起動する。これにより、映像出力系プロセッサー２５は、起動指示が来るまで、リセット状態にすることができるため、消費電力を低減することが可能である。
【００７４】
（４）このようなプロジェクター１によれば、メニュー画像によってパラメーターが変更された場合に、全体制御プロセッサー２０は、該変更されたパラメーターを記憶部２２に記憶する。これにより、メニュー画像によって、映像出力系プロセッサー２５に係わるパラメーターが変更された場合でも、映像出力系プロセッサー２５は、起動時に、記憶部２２からパラメーターを読み込んで、映像出力および光源装置３０，７１０の制御を開始することができる。
【００７５】
（５）このようなプロジェクター１によれば、電源オフ操作がなされた際に、光源バランス調整値を記憶部２２に記憶する。これにより、映像出力系プロセッサー２５は、起動時に、記憶部２２から光源バランス調整値を読み込んで光源装置３０，７１０の制御を開始することができる。
【００７６】
（６）このようなプロジェクター１によれば、映像出力系プロセッサー２５は、光源装置３０，７１０の点灯準備ができた後に、全体制御プロセッサー２０に通知を行う。全体制御プロセッサー２０は、通知を受け取ると、冷却機構であるファンが正しく動作しているか否か、レンズの絞り用モーターが正しく動作しており、レンズ絞りが全開になっているか否か、レンズシャッター用モーターが正しく動作しており、レンズシャッターが全開になっているか否か、光源装置３０，７１０の照度を測定するセンサーが正しく接続されているか否かを検出し、全て正常か否かを判断する。判断結果が全て正常である場合に、映像出力系プロセッサー２５に光源の点灯を指示する。よって、判断結果が全て正常である場合に、映像出力系プロセッサー２５は光源装置３０，７１０を点灯する。これにより、プロジェクター１に１つでも異常がある場合は、光源の点灯を回避することができるため、有益である。
【００７７】
なお、上述した実施形態に限定されず、種々の変更や改良等を加えて実施することが可能である。変形例を以下に述べる。
【００７８】
（変形例１）上記実施形態では、記憶部２２は単数（１つ）として、全体制御プロセッサー２０および映像出力系プロセッサー２５のどちらからでも、書き込みおよび読み出し可能としたが、記憶部（不揮発性メモリー）を複数（例えば２つ）備える構成（図示せず）としてもよい。そして、一方の記憶部を全体制御プロセッサー２０に接続し、他方の記憶部を映像出力系プロセッサー２５に接続してもよい。この場合、映像出力系プロセッサー２５で使用するパラメーター（初期画像表示のオン・オフ設定情報、設置状態情報、台形歪補正値情報、レーザー光源点灯本数情報、駆動対象光源種別、光源装置点灯時の電流値情報、光源バランス調整値等）は、２つの記憶部の両方に記憶される。メニュー画像等によって当該パラメーターが変更されると、まず、全体制御プロセッサー２０に接続されている記憶部に変更された値を記憶する。そして、全体制御プロセッサー２０は、パラメーター変更を示す通知を映像出力系プロセッサー２５に送信し、映像出力系プロセッサー２５は、受信した通知に基づいて自身に接続されている記憶部のパラメーターを更新することができる。こうすれば、２つの記憶部の各パラメーターの値を同様にすることができる。
【００７９】
（変形例２）上記実施形態では、全体制御プロセッサー２０にはフレームメモリー２３が接続され、映像出力系プロセッサー２５にはフレームメモリー２６が接続されている。しかし、フレームメモリー２３およびフレームメモリー２６の代わりに、全体制御プロセッサー２０および映像出力系プロセッサー２５が共用するフレームメモリー（図示せず）を１つ備えるものとしてもよい。
【００８０】
（変形例３）上記実施形態では、全体制御プロセッサー２０は、所定の判断として、ファンが正しく動作しているか否か、レンズの絞り用モーターが正しく動作しており、レンズ絞りが全開になっているか否か、レンズシャッター用モーターが正しく動作しており、レンズシャッターが全開になっているか否か、光源装置３０，７１０の照度を測定するセンサーが正しく接続されているか否かを検出するものした。しかし、所定の判断のうち、映像出力系プロセッサー２５が検出可能なものがあれば、映像出力系プロセッサー２５が検出して判断してもよい。
【００８１】
（変形例４）上記実施形態では、電源オン操作（電源キー押下）がなされると、全体制御プロセッサー２０が映像出力系プロセッサー２５のリセットを解除するものとした。しかし、映像出力系プロセッサー２５のリセット解除は、必ずしも全体制御プロセッサー２０によって行わなくてもよい。電源オン操作がなされる前に、映像出力系プロセッサー２５のリセットが解除されていてもよい。この場合でも、全体制御プロセッサー２０からの光源装置の点灯の指示を受信した後、映像出力系プロセッサー２５は光源の点灯を行うので、意図しないタイミングやパラメーターで光源が点灯することを回避できる。
【００８２】
（変形例５）上記実施形態では、赤色光および緑色光を射出させるための第１光源装置３０、および、青色光を射出させるための第２光源装置７１０を備えるものとしているが、光源装置の構成はこれに限定するものではない。例えば、青色光のレーザー光を射出する単一の光源装置（図示せず）を用い、光源装置からの青色光を回転蛍光板（図示せず）に入射するように構成する。そして、回転蛍光板上に設けられた蛍光層（図示せず）を、光源装置からの青色光の一部を赤色光および緑色光を含む光に変換し、かつ、青色光の残りの一部を変換せずに通過させるように構成することも可能である。
【００８３】
（変形例５）上記実施形態では、光源装置３０，７１０は、レーザー光源としているが、ＬＥＤ光源等の他の固体光源を用いてもよいし、放電型の光源ランプ等のその他の光源を用いることもできる。
【００８４】
（変形例６）上記実施形態では、プロジェクター１は、光変調装置として、透過型の液晶光変調装置４００Ｒ，４００Ｇ，４００Ｂを用いているが、反射型の液晶光変調装置等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００８５】
１…プロジェクター、１０…画像投写部、１４…液晶駆動部、２０…全体制御プロセッサー、２１…操作受付部、２２…記憶部、２３…フレームメモリー、２４…映像信号入力部、２５…映像出力系プロセッサー、２６…フレームメモリー、３０…第１光源装置、７１０…第２光源装置、４０…集光光学系、４２…第１レンズ、４４…第２レンズ、５０…モーター、５２…回転蛍光板、５５…円板、５６…蛍光層、６０…コリメート光学系、６２…第１レンズ、６４…第２レンズ、１０２…第１照明装置、１０２ａｘ…照明光軸、１２０…第１レンズアレイ、１２２…第１小レンズ、１３０…第２レンズアレイ、１３２…第２小レンズ、１４０…偏光変換素子、１５０…重畳レンズ、２０２…色分離導光光学系、２１０…ダイクロイックミラー、２２２，２３０，２５０…反射ミラー、３００Ｂ，３００Ｇ，３００Ｒ…集光レンズ、４００Ｂ，４００Ｇ，４００Ｒ…液晶光変調装置、５００…クロスダイクロイックプリズム、６００…投写光学系、７００…第２照明装置、７２０…集光光学系、７２２…第１レンズ、７２４…第２レンズ、７３０…散乱板、７４０…偏光変換インテグレーターロッド、７５０…集光レンズ。
【図１】
2015158659.tif 000003
【図２】
2015158659.tif 000004
【図３】
2015158659.tif 000005
【図４】
2015158659.tif 000006